(57)【要約】      （修正有）【課題】遮光性に優れ、表示ムラを抑制することが可能なプロジェクターを提供する。【解決手段】光源と、前記光源からの光束の一部又は全部を遮光可能な遮光機構３２５を有する照明光学系と、前記照明光学系からの照明光によって照明される光変調装置とを備え、前記遮光機構は、所定の回転軸のまわりに互いに等しい回動半径で回動することで遮光領域の大きさを変化させる一対の遮光部材５１，５２を有し、一対の前記遮光部材の先端部には、複数のフィン部５５，５６が一方向に配置されており、複数の前記フィン部は、一対の前記遮光部材が回動して最大遮光位置に配置される際に一方の前記遮光部材に設けられた前記フィン部と他方の前記遮光部材に設けられた前記フィン部とが非接触の状態で前記一方向に交互に重なって配置されるように、一対の前記遮光部材による遮光面に対して傾斜して配置されている。【選択図】図２
2014197048.tif 000002
【特許請求の範囲】
【請求項１】
光源と、
前記光源からの光束の一部又は全部を遮光可能な遮光機構を有する照明光学系と、
前記照明光学系からの照明光によって照明される光変調装置と
を備え、
前記遮光機構は、所定の回転軸のまわりに互いに等しい回動半径で回動することで遮光
領域の大きさを変化させる一対の遮光部材を有し、
一対の前記遮光部材の先端部には、複数のフィン部が一方向に配置されており、
複数の前記フィン部は、一対の前記遮光部材が回動して最大遮光位置に配置される際に
一方の前記遮光部材に設けられた前記フィン部と他方の前記遮光部材に設けられた前記フ
ィン部とが非接触の状態で前記一方向に交互に重なって配置されるように、一対の前記遮
光部材による遮光面に対して傾斜して配置されている
プロジェクター。  
【請求項２】
一対の前記遮光部材は、複数の前記フィンを支持する基部を有し、
前記基部は、一対の前記遮光部材が最大遮光位置とされた際に、互いに回動方向に間隔
を空けて配置される
請求項１に記載のプロジェクター。
【請求項３】
複数の前記フィン部は、等しい角度で傾斜している
請求項１又は請求項２に記載のプロジェクター。
【発明の詳細な説明】
【技術分野】
【０００１】
本発明は、プロジェクターに関するものである。
【背景技術】
【０００２】
照明装置の調整のために遮光板を用いたプロジェクターが知られている。このようなプ
ロジェクターとしては、見かけ上のコントラストを向上するため、例えば回動によって開
閉可能な一対の板状の遮光板を、照明装置内の一対のレンズアレイ間に照明光軸を挟んで
配置して、照明光の遮光量の調整を行う構成が知られている（例えば、特許文献１参照）
。このような構成において、光源の光分布の中央付近を遮蔽する場合には遮光板同士の接
触を回避するため、遮光板同士を光軸方向にずらして配置させ、各遮光板の回動半径が異
なるように回動させる構成が知られている。
【先行技術文献】
【特許文献】
【０００３】
【特許文献１】特開２０１０−２１７６５１号公報
【発明の概要】
【発明が解決しようとする課題】
【０００４】
しかしながら、上記構成は、遮光板同士を全閉状態にする場合には有効であるが、遮光
板同士の回動半径が異なるため、遮光板同士が一部開いた場合には開閉方向に非対称の配
置となってしまうため、光源の遮蔽分布が非対称となってしまっていた。このため、色ム
ラや輝度ムラなどの表示ムラが生じる可能性があった。
【０００５】
以上のような事情に鑑み、本発明は、遮光性に優れ、表示ムラを抑制することが可能な
プロジェクターを提供することを目的とする。
【課題を解決するための手段】
【０００６】
本発明に係るプロジェクターは、光源と、前記光源からの光束の一部又は全部を遮光可
能な遮光機構を有する照明光学系と、前記照明光学系からの照明光によって照明される光
変調装置とを備え、前記遮光機構は、所定の回転軸のまわりに互いに等しい回動半径で回
動することで遮光領域の大きさを変化させる一対の遮光部材を有し、一対の前記遮光部材
の先端部には、複数のフィン部が一方向に配置されており、複数の前記フィン部は、一対
の前記遮光部材が回動して最大遮光位置に配置される際に一方の前記遮光部材に設けられ
た前記フィン部と他方の前記遮光部材に設けられた前記フィン部とが非接触の状態で前記
一方向に交互に重なって配置されるように、一対の前記遮光部材による遮光面に対して傾
斜して配置されている。
【０００７】
本発明によれば、一対の遮光部材が等しい回動半径で回動し、一対の遮光部材の先端部
には複数のフィン部が一方向に配置されており、複数のフィン部が、一対の遮光部材が回
動して最大遮光位置に配置される際に一方の遮光部材に設けられたフィン部と他方の遮光
部材に設けられたフィン部とが非接触の状態で一方向に交互に重なって配置されるように
、一対の遮光部材による遮光面に対して傾斜して配置されているため、遮光板同士の接触
を回避しつつ、光源の光分布の中央付近を遮蔽することができる。この際に、一対の遮光
部材が等しい回動半径で回動するため、一対の遮光部材の姿勢が非対称となるのを回避す
ることができる。これにより、遮光性に優れ、表示ムラを抑制することが可能なプロジェ
クターを提供することができる。
【０００８】
また、一対の前記遮光部材は、複数の前記フィンを支持する基部を有し、前記基部は、
一対の前記遮光部材が最大遮光位置とされた際に、互いに回動方向に間隔を空けて配置さ
れることが好ましい。  
本発明によれば、一対の遮光部材が最大遮光位置とされた際に、基部が互いに回動方向
に間隔を空けて配置されるため、遮光部材同士の接触をより確実に回避することが可能と
なる。
【０００９】
また、複数の前記フィン部は、等しい角度で傾斜していることが好ましい。  
本発明によれば、複数のフィン部が等しい角度で傾斜しているため、一対の遮光部材が
最大遮光位置とされた際に、フィン部同士が均一な間隔を空けて配置されることになる。
これにより、フィン部同士の接触をより確実に回避することができる。
【図面の簡単な説明】
【００１０】
【図１】実施形態のプロジェクターの概略構成を模式的に示す図。
【図２】調光機構を中心に示す部分斜視図。
【図３】遮光シャッターの構成を示す斜視図。
【図４】遮光シャッターの位置関係を示す図。
【図５】遮光シャッターを駆動する駆動機構の構成を示す図。
【図６】調光機構の動作を説明するための斜視図。
【図７】調光機構の動作を示すための断面図。
【図８】一対の遮蔽シャッターの最大開放状態（全開状態）を示す図。
【図９】一対の遮蔽シャッターの最大遮光状態（全閉状態）を示す図。
【図１０】遮光シャッターが一部閉じた状態を示す図。
【図１１】変形例に係る遮光シャッターの構成を示す斜視図。
【発明を実施するための形態】
【００１１】
［プロジェクター］
以下、本実施形態に係るプロジェクターについて、図面を参照して説明する。  
本実施形態のプロジェクターは、光源から射出された光束を画像情報に応じて変調して
画像光を形成し、その画像光を拡大投写する。
【００１２】
図１は、本実施形態のプロジェクターの概略構成を模式的に示す図である。  
図１に示すように、プロジェクター１は、本体（プロジェクター本体）１が外装筐体２
で囲まれた構成になっている。外装筐体２は、合成樹脂製であり、筐体上部を構成するア
ッパーケース、筐体下部を構成するロアーケース２２等を備えており、これらは、ネジ等
により固定されている。
【００１３】
また、外装筐体２内には、制御部１０、光学ユニット３、電源ユニット４、冷却ファン
２５１、および排気ファン２５２等が配置されている。光学ユニット３は、平面視略Ｌ字
状に構成され、光源３１１を有する光源装置３１、電気光学装置３５、および投写光学装
置（投写光学系）３６を備えている。光学ユニット３は、制御部１０による制御の下、光
源３１１から射出された光束を光学的に処理して画像情報に応じた画像光を電気光学装置
３５にて形成し、この画像光を投写光学装置３６によってスクリーン等に画像を表示させ
る。
【００１４】
光源装置３１は、外装筐体２の端部に配置され、投写光学装置３６は、外装筐体２の略
中央部に配置される。なお、以下においては、説明の便宜上、光源装置３１から光束が射
出される方向を＋Ｘ方向、電気光学装置３５から画像光が射出される方向を＋Ｙ方向とし
、外装筐体２の各ケース２１，２２の組み合わせ方向をＺ方向とする。
【００１５】
外装筐体２の側面２Ｂには、外気を取り込むための吸気口２２０が設けられている。吸
気口２２０は、複数の矩形状のスリット孔で形成されており、この吸気口２２０の内側に
は、図示しない、防塵フィルターが配置されている。そして、光学ユニット３は、この吸
気口２２０から取り込まれて防塵フィルターを通過した空気によって冷却される。
【００１６】
また、外装筐体２の右側方（側面２Ｃ）には、内部の暖気を排出するための排気口２２
２が設けられている。排気口２２２は、複数のスリット孔で形成されている。光源３１１
の点灯等によって温まった外装筐体２内の空気は、この排気口２２２から外部に排出され
る。
【００１７】
光学ユニット３は、光源装置３１、照明光学装置（照明光学系）３２、色分離光学装置
３３、電気光学装置３５、投写光学装置３６、およびこれら各光学部品３１，３２，３３
，３５，３６を所定位置に配置する光学部品用筐体３７を備える。なお、本実施形態では
、非反転光学系を用いて説明するが、これに限られることは無く、反転光学系を採用して
もよい。
【００１８】
光源装置３１は、超高圧水銀ランプやメタルハライドランプ等からなる放電型の光源３
１１およびリフレクター３１２等を備える。そして、光源装置３１は、光源３１１から射
出された光束をリフレクター３１２によって射出方向を揃え、照明光学装置３２に向けて
射出する。
【００１９】
照明光学装置３２は、第１レンズアレイ３２１、第２レンズアレイ３２２、偏光変換素
子３２３、重畳レンズ３２４，３３４，３４１，３４３および調光機構（遮光機構）３２
５を備える。  
第１レンズアレイ３２１は、光源３１１から射出された光束の光軸Ｌ方向から見て略矩
形の輪郭を有する小レンズがマトリックス状に配列された構成を有しており、光源装置３
１から射出された光束を複数の部分光束に分割する。第２レンズアレイ３２２は、第１レ
ンズアレイ３２１と略同様の構成を有しており、重畳レンズ３２４，３３４，３４１，３
４３とともに、部分光束を後述する液晶ライトバルブ（光変調素子）３５２の表面に略重
畳させる。詳述すると、赤色光路においては、重畳レンズ３２４，３４１，３４３により
第レンズアレイ３２１の小レンズの像を赤色光用の液晶ライトバルブ３５２Ｒ上に重畳さ
せ、緑色光路及び青色光路においては、重畳レンズ３２４，３３４により第レンズアレイ
３２１の小レンズの像を緑色光用の液晶ライトバルブ３５２Ｇ及び青色光用の液晶ライト
バルブ３５２Ｂ上に重畳させる。つまり、３色すべての光路において、第１レンズアレイ
３２１の小レンズの倒立像が液晶ライトバルブ３２５上に結像される。偏光変換素子３２
３は、第２レンズアレイ３２２から射出されたランダム偏光光を液晶ライトバルブ３５２
で利用可能な略１種類の偏光光に揃える機能を有する。
【００２０】
調光機構３２５は、光源３１１から射出された光束の一部を遮光可能であり、光束の通
過光量を調整する機能を有している。この調光機構３２５は、上記制御部１０による制御
のもと、光源３１１から射出され、第１レンズアレイ３２１を透過した光束の一部を遮光
して第２レンズアレイ３２２に入射する光量、ひいては、電気光学装置３５に入射する光
量を調整し、投写画像のコントラスト向上に寄与するものである。
【００２１】
色分離光学装置３３は、２枚のダイクロイックミラー３３１，３３２、および反射ミラ
ー３３３、３３５，３４２，３４４を備え、照明光学装置３２から射出された光束を赤色
光（以下「Ｒ光」という）、緑色光（以下「Ｇ光」という）、青色光（以下「Ｂ光」とい
う）の３色の色光に分離する機能を有する。
【００２２】
電気光学装置３５は、入射側偏光板３５１、光変調装置としての液晶ライトバルブ３５
２、射出側偏光板３５３、色合成光学装置としてのクロスダイクロイックプリズム３５４
を備え、色分離光学装置３３から射出された各色光を画像情報に応じて変調する。このよ
うに、本実施形態の光学ユニット３は、３色の光路それぞれにおいて、第１レンズアレイ
３２１の小レンズの倒立像が液晶ライトバルブ３２５上に結像され、色分離光学装置３３
での反射回数を調整されており、クロスダイクロイックプリズム３５４で合成後の第１レ
ンズアレイ３２１の小レンズの像の上下左右が３色で一致するいわゆる非反転光学系であ
る。
【００２３】
投写光学装置３６は、複数のレンズを組み合わせた組レンズと、非球面形状の反射ミラ
ー３８を有して構成されている。投写光学装置３６は、電気光学装置３５にて変調された
光束を組レンズから反射ミラー３８に射出し、反射ミラー３８によって光束を広角化する
ように反射して投写する。このような構造とすることにより、投写距離の短い、いわゆる
短焦点プロジェクターとして構成することができる。なお、組レンズから反射ミラー３８
に射出する光束の方向を投写光学装置３６内の投写方向という。電源ユニット４は、外部
電源から供給された交流電力を整流、平滑化し、光源３１１および制御部等に出力する。
電源ユニット４は、光源装置３１の下方に配設されている。
【００２４】
制御部１０は、ＣＰＵ（Central Processing Unit）、ＲＡＭ（Random Access Memory
）及びＲＯＭ（Read Only Memory）等が実装されたメイン回路基板およびドライバー基板
を備えて構成され、使用者の操作に応じて、或いは、自律的に、プロジェクター１を制御
する。
【００２５】
例えば、制御部１０は、前述の光源装置３１の点灯を制御するほか、操作部２３を介し
て入力される画像信号に応じた駆動信号を生成し電気光学装置３５に出力する。この駆動
信号生成の際に、制御部１０は、使用者により設定されたパラメーターに応じた画質調整
等の処理を実行する。このような制御部１０は、例えば、記憶部、情報取得部、画像生成
部、駆動制御部及び情報保存部等を備える。
【００２６】
[調光機構]  
次に、調光機構の構成について詳述する。  
図２は、調光機構を中心に示す部分斜視図である。  
図２に示すように、調光機構３２５は、第１レンズアレイ３２１と第２レンズアレイ３
２２との間に配設される一対の遮光シャッター（遮光部材）５１、５２を有している。こ
のような調光機構３２５は、各遮光シャッター５１、５２が第１レンズアレイ３２１と第
２レンズアレイ３２２との間においてこれらの面方向に沿って並ぶように上下に配置され
る。
【００２７】
図３は、遮光シャッター５１、５２の構成を示す斜視図である。  
図３に示すように、遮光シャッター５１は、基部５３と、フィン部５５とを有している
。基部５３は、例えば矩形板状に形成されている。基部５３は、例えばアルミニウムなど
の金属を用いて形成されている。
【００２８】
フィン部５５は、基部５３の先端部５３ａに配置されている。フィン部５５は、基部５
３の一辺に沿って複数（例えば５つ）設けられている。複数のフィン部５５は、それぞれ
等しい形状（例えば、帯状など）及び寸法に形成されている。複数のフィン部５５は、基
部５３のうち光源３１側の遮光面５３ｂ上に配置されている。複数のフィン部５５は、遮
光面５３ｂに対してそれぞれ等しい角度で傾くように配置されている。複数のフィン部５
５は、アルミニウムなどの金属を用いて形成され、基部５３と一体に形成されている。
【００２９】
一方、遮光シャッター５２は、基部５４と、フィン部５６とを有している。基部５４は
、基部５３と同様に、例えばアルミニウムなどの金属を用いて矩形板状に形成されている
。基部５４の形状や材質、寸法などの諸元は、基部５３と等しくなっている。
【００３０】
フィン部５６は、基部５４の先端部５４ａに配置されている。フィン部５６は、基部５
４の一辺に沿って複数（例えば４つ）設けられている。複数のフィン部５６は、それぞれ
等しい形状（例えば、帯状など）及び寸法に形成されている。複数のフィン部５６は、基
部５４のうち光源３１側の遮光面５４ｂ上に配置されている。複数のフィン部５６は、遮
光面５４ｂに対してそれぞれ等しい角度で傾くように配置されている。複数のフィン部５
６の傾斜角度は、例えば基部５３に設けられる複数のフィン部５５の傾斜角度と等しくな
っている。複数のフィン部５６は、アルミニウムなどの金属を用いて形成され、基部５４
と一体に形成されている。
【００３１】
図４は、遮光シャッター５１、５２の位置関係を示す図である。  
図４（ａ）は、光学系の光軸方向に見て遮光シャッター５１、５２を一部閉じた状態を
示している。図４（ａ）に示すように、遮光シャッター５１、５２は、フィン部５５、５
６が対向するように配置されている。また、遮光シャッター５１は、隣り合うフィン部５
５同士が光軸方向視で一部重なるように配置されている。同様に、遮光シャッター５２は
、隣り合うフィン部５６同士が光軸方向視で一部重なるように配置されている。
【００３２】
複数のフィン部５５は、基部５３の先端部５３ａからの突出量（寸法）が全て等しくな
っている。一方、複数のフィン部５６についても、基部５４の先端部５４ａからの突出量
（寸法）が全て等しくなっている。また、複数のフィン部５５の突出量と、複数のフィン
部５６の突出量とは、等しくなっている。
【００３３】
図４（ｂ）は、光学系の光軸方向に見て遮光シャッター５１、５２が全部閉じた状態（
全閉状態）を示している。図４（ｃ）は、図４（ｂ）におけるＡ−Ａ断面に沿った構成を
示す図である。図４（ｂ）及び図４（ｃ）に示すように、全閉状態において、遮光シャッ
ター５１、５２は、複数のフィン部５５と複数のフィン部５６とが重なるように配置され
る。複数のフィン部５５と複数のフィン部５６とは、交互に重なるように配置される。こ
の場合、複数のフィン部５５と複数のフィン部５６とが重なった領域では、光源からの光
の全部が遮光されることになる。
【００３４】
図５（ａ）及び図５（ｂ）は、遮光シャッター５１、５２を駆動する駆動機構の構成を
示す斜視図である。  
図５（ａ）及び図５（ｂ）に示すように、調光機構３２５は、一対の遮光シャッター５
１、５２を動作させる駆動部３２９を備えている。
【００３５】
駆動部３２９は、複数のギア部３６１，３６２，３６３，３６４と、ギア部３６４を回
転させるためのステッピングモーター３６５と、これらを保持する板部材３６０とを備え
ている。ギア部３６４は、ステッピングモーター３６５の回転軸に取り付けられた駆動歯
車であって、時計周り方向あるいは反時計周り方向に回転する。ギア部３６１〜３６３は
従動歯車であって、ギア部３６４の回転に伴って連動する。
【００３６】
遮光シャッター５１は、第１ギア部３６１を介して板部材３６０に取り付けられており
、遮光シャッター５２は、第２ギア部３６２を介して板部材３６０に取り付けられている
。第１ギア部３６１と第２ギア部３６２は互いに噛合しており、第２ギア部３６２側に第
３ギア部３６３が噛合している。第３ギア部３６３は、ステッピングモーター３６５に連
結された第４ギア部３６４に噛合している。そして、この第４ギア部３６４を介してステ
ッピングモーター３６５の駆動力が第３ギア部３６３に伝達されて第２ギア部３６２およ
び第１ギア部３６１が回転し、遮光シャッター５１，５２が移動する構成となっている。
これら遮光シャッター５１，５２は、光軸Ｌに交差する各ギア部３６１，３６２の回転軸
周りに互いに連動して移動することになる。
【００３７】
また、調光機構３２５は、第１ギア部３６１と第２ギア部３６２との噛み合い位置を検
出するための噛み合い位置検出センサー３６６を有している。この噛み合い位置検出セン
サー３６６は光学素子からなり、例えば、第２ギア部３６２の歯数を検出できる箇所に設
置されている。この噛み合い位置検出センサー３６６において第２ギア部３６２の歯数を
検知することにより、当該第２ギア部３６２の回転量を検出するようになっている。上述
したように、遮光シャッター５２は第２ギア部３６２の回転に伴って移動し、遮光シャッ
ター５１は第１ギア部３６１の回転に伴って移動する。すなわち、第１ギア部３６１は第
２ギア部３６２の回転量に応じて回転するため、噛み合い位置検出センサー３６６によっ
て第２ギア部３６２の回転量を検出することにより、遮光シャッター５１および遮光シャ
ッター５２の移動位置を制御することができる。
【００３８】
このような構成の遮光シャッター５１は連結部材３０１を介して第１ギア部３６１に連
結され、遮光シャッター５２は連結部材３０２を介して第２ギア部３６２に連結されてい
る。これら連結部材３０１，３０２は遮光シャッター５１、５２よりも熱伝導率の低い材
料より形成され、例えばＳＵＳからなる。遮光シャッター５１、５２は、互いの回動半径
が等しくなるように連結されている。また、遮光シャッター５１、５２は、最大開放状態
における位置が開閉方向（上下方向）に対称となるように配置されている。
【００３９】
図６は、調光機構の動作を説明するための斜視図であり、図７は、調光機構の動作を示
すための断面図である。図８は、最大開放状態（全開状態）を示す図であり、図９は、最
大遮光状態（全閉状態）を示す図である。
【００４０】
図６に示すように、調光機構３２５のステッピングモーター３６５の回転は、モーター
の回転軸Ｏに接続された第４ギア部３６４を介して第３ギア部３６３に伝達される。第３
ギア部３６３の回転に伴って第２ギア部３６２および第１ギア部３６１が回転する。この
とき、第１ギア部３６１および第２ギア部３６２は同期して反対方向に回転する。これに
より調光機構３２５は、遮光シャッター５１および遮光シャッター５２を同期して観音開
き状に開閉移動させることができる。この際、遮光シャッター５１，５２は、ステッピン
グモーター３６５の正転又は逆転に伴ってその状態を全開状態および全閉状態へと変化さ
せる。
【００４１】
例えば、図７に示すように、遮光シャッター５１，５２は各ギア部３６１，３６２の中
心軸を中心とする回動動作により、最大遮光状態および全開状態になったりする。具体的
には、図中の実線で示す最大遮光状態では、遮光シャッター５１，５２が第２レンズアレ
イ３２２に略平行となって先端部５３ａ，５４ａが光軸Ｌ近傍に並ぶ。このとき、遮光シ
ャッター５１、５２の基部５３、５４の遮光表面は、光軸Ｌに対して垂直に配置される。
複数のフィン部５５、５６は、基部５３、５４の表面に対して傾斜しているため、光軸Ｌ
に垂直な面に対して傾斜して配置される。また、図中の破線で示す全開状態では、遮光シ
ャッター５１，５２が第２レンズアレイ３２２に略平行な全閉時の状態から所定の回動角
度（略９０°）回転し、先端部５３ａ，５４ａが照明光の光路外（有効範囲外）に位置し
、照明光の遮光がない。
【００４２】
また、図示してはいないが、中間の段階として、遮光シャッター５１，５２が第２レン
ズアレイ３２２に略平行な全閉時に比べて所定の回動角度だけ回転し、先端部５３ａ，５
４ａが光軸Ｌからある程度離れて一部の照明光の遮光を行う状態にもなる。
【００４３】
次に、調光機構の動作について具体的に述べる。  
図８は、一対の遮蔽シャッター５１，５２の全開状態を示す図であって、（ａ）は側面
図、（ｂ）は光軸側から見た図である。
【００４４】
全閉状態から全開状態へと遮光シャッター５１，５２を移動させる場合、図８（ａ），
（ｂ）に示すように、ステッピングモーター３６５が反時計回りに回転すると、これに伴
って第４ギア部３６４が同方向へ回転し、第３ギア部３６３は時計回りに回転する。第２
ギア部３６２は第３ギア部３６３に同期して反時計回りへ回転することから、これに伴っ
て第１ギア部３６１が時計回りに回転する。これにより、遮光シャッター５１，５２は互
いに最も離れた全開状態となる。
【００４５】
図９は、最大遮光状態（全閉状態）を示す図であって、（ａ）は側面図、（ｂ）は光軸
側から見た図である。
【００４６】
全開状態から全閉状態へと遮光シャッター５１，５２を移動させる場合、図９（ａ），
（ｂ）に示すように、ステッピングモーター３６５が時計周りに回転すると、これに伴っ
て第４ギア部３６４が同方向へ回転し、第３ギア部３６３が反時計回りに回転する。第２
ギア部３６２は第３ギア部３６３に同期して時計回りへ回転し、これに伴って第１ギア部
３６１が反時計回りに回転する。これにより、遮光シャッター５１，５２は互いに最も近
づいて光軸Ｌと一致する位置において最大遮光状態となる。最大遮光状態では、フィン部
５５、５６同士が重なり合い、基部５３、５４は回動方向に間隔を空けて配置される。な
お、このとき、複数のフィン部５５と複数のフィン部５６とが一方向に交互に重なるよう
に配置される。
【００４７】
次に、調光機構による遮光領域の変化について述べる。  
図１０（ａ）〜図１０（ｃ）は、遮光シャッター５１、５２が一部閉状態となっている
場合の遮光量（照明光の通過量）の変化について詳細な説明をするための概念図である。
図１０（ａ）〜図１０（ｃ）は、遮光シャッター５１，５２を、光源とは反対側から光源
側に向かって見た時の構成を示している。
【００４８】
図１０（ａ）に示すように、遮光シャッター５１，５２が一定程度開いた状態において
は、基部５３の先端部５３ａ及び基部５４の先端部５４ａから、それぞれフィン部５５、
５６の基部５３及び基部５４に近い側の角部が見えるが、それぞれフィン部５５、５６の
基部５３及び基部５４から遠い側の角部は基部５３，５４の背面に重なっているため、フ
ィン部５５，５６の光軸Ｌ側の輪郭は、鋸歯状に見える状態となる。この状態から、遮光
シャッター５１、５２を徐々に閉じていくと、例えば図１０（ｂ）に示すように、それぞ
れフィン部５５、５６の基部５３及び基部５４から離れた側の角部も見え始め、フィン部
５５，５６の光軸Ｌ側の輪郭が、図１０（ａ）に示した状態よりも凹凸が小さい鋸歯状に
見える。また、図１０（ｃ）に示すように、全閉状態に近い場合、それぞれフィン部５５
、５６の光軸Ｌ側の端部が直線上に揃い、フィン部５５，５６同士が重なりあう。このよ
うな鋸歯状の突出部の突出量（面積）が変化することにより、遮光による光の増減の急激
な変化が緩和されることになる。また、遮光シャッター５１、５２の各遮光領域が大きく
なるほど、フィン部５５，５６の光軸Ｌ側の輪郭が凹凸の小さな鋸歯状に見えるようにな
るため、例えば光軸が上下（遮光シャッター５１、５２の開閉方向）に非対称となってい
る場合には、遮光領域の小さい側の遮光シャッターにおけるフィン部５５，５６の光軸Ｌ
側の輪郭が凹凸の大きい鋸歯状に見える状態であるため、フィン部のない基部だけの遮光
シャッターよりもその分遮光領域を確保することができる。このため、遮光領域の非対称
を一定程度緩和することができる。
【００４９】
以上のように、本実施形態によれば、一対の遮光シャッター５１、５２が等しい回動半
径で回動し、一対の遮光シャッター５１，５２の先端部５３ａ、５４ａには複数のフィン
部５５、５６が一方向に配置されており、複数のフィン部５５、５６が、一対の遮光シャ
ッター５１、５２が回動して最大遮光位置に配置される際に一方の遮光シャッター５１に
設けられたフィン部５５と他方の遮光シャッター５２に設けられたフィン部５６とが非接
触の状態で一方向に交互に重なって配置されるように、遮光面５３ｂ、５４ｂに対して傾
斜して配置されているため、遮光シャッター５１、５２同士の接触を回避しつつ、光源の
光分布の中央付近を遮蔽することができる。この際に、一対の遮光シャッター５１、５２
が等しい回動半径で回動するため、一対の遮光シャッター５１、５２の姿勢が非対称とな
るのを回避することができる。これにより、遮光性に優れ、表示ムラを抑制することが可
能なプロジェクター１を提供することができる。なお、本実施形態のような非反転光学系
の場合には、特に輝度ムラを効果的に抑制することが可能となる。また、赤色光、青色光
及び緑色光のうち１つの色光において、液晶ライトバルブ３２５上に結像される第１レン
ズアレイ３２１の小レンズの像が倒立像又は正立像のうち一方であり、赤色光、青色光及
び緑色光のうち２つの色光において、液晶ライトバルブ３２５上に結像される第１レンズ
アレイ３２１の小レンズの像が倒立像又は正立像のうち他方である（赤色光、青色光及び
緑色光のうち光路のうち１つ又は２つの光路にのみリレー光学系を備える光学ユニット）
いわゆる反転光学系の場合には、色ムラを効果的に抑制することが可能となる。  
【００５０】
本発明の技術範囲は上記実施形態に限定されるものではなく、本発明の趣旨を逸脱しな
い範囲で適宜変更を加えることができる。  
例えば、上記実施形態では、遮光シャッター５１、５２に設けられる基部５３、５４の
うち光源３１側の面にフィン部５５、５６が設けられた構成を例に挙げて説明したが、こ
れに限られることはない。例えば、図１１に示すように、基部１５３、１５４のうち光源
３１とは反対側の面にフィン部１５５、１５６が設けられた構成の遮光シャッター１５１
、１５２であってもよい。これにより、遮光シャッター５１、５２の回転軌道面に対して
外側への突出量を低減することができるため、調光機構をコンパクト化することができる
。
【００５１】
また、上記実施形態においては、フィン部５５、５６の傾斜角度が全て等しい場合を例
に挙げて説明したが、これに限られることはない。例えば、フィン部５５とフィン部５６
との間で傾斜角度が異なる構成であってもよい。また、複数のフィン部５５の中あるいは
複数のフィン部５６の中で角度が異なるようにしてもよい。
【００５２】
また、上記実施形態においては、フィン部５５、５６が板状に形成された構成を例に挙
げて説明したが、これに限られることはない。例えば、フィン部５５、５６の先端部が曲
げられた構成としてもよい。
【符号の説明】
【００５３】
１…プロジェクター  ２…外装筐体  ３…光学ユニット  ４…電源ユニット  １０…制
御部  ３１…光源装置  ５１、５２、１５１、１５２…遮光シャッター  ５３、１５３…
基部  ５３ａ、５４ａ、１５３ａ、１５４ａ…先端部  ５３ｂ、５４ａ、１５３ｂ、１５
４ｂ…遮光面  ５５、５６、１５５、１５６…フィン部
【図１】
2014197048.tif 000003
【図２】
2014197048.tif 000004
【図３】
2014197048.tif 000005
【図４】
2014197048.tif 000006
【図５】
2014197048.tif 000007
【図６】
2014197048.tif 000008
【図７】
2014197048.tif 000009
【図８】
2014197048.tif 000010
【図９】
2014197048.tif 000011
【図１０】
2014197048.tif 000012
【図１１】
2014197048.tif 000013